(57)【要約】【課題】  いずれの図柄で大当たりが発生するのかを予告することにより更なる興趣を付与することができるパチンコ遊技機を提供する。【解決手段】  所定条件の成立により抽選が行われ、その抽選の結果が大当たりか否かを判定する大当たり判定手段１７と、該大当たり判定手段１７にて大当たりであると判定された際に表示される図柄を判定する大当たり図柄判定手段１８と、大当たり状態が発生することを予告する演出を行うか否かを判定する予告演出判定手段２０とを具備し、大当たり状態が発生すると遊技者にとって有利な特別状態とされるパチンコ遊技機において、予告演出判定手段２０が予告演出を行うと判定したとき、大当たり図柄判定手段１８にて判定された図柄を示唆する予告演出を行うものである。【選択図】図４
2005087517.tif 000002
【特許請求の範囲】
【請求項１】
所定条件の成立により抽選が行われ、その抽選の結果が大当たりか否かを判定する大当たり判定手段と、
該大当たり判定手段にて大当たりであると判定された際に表示される図柄を判定する大当たり図柄判定手段と、
大当たり状態が発生することを予告する演出を行うか否かを判定する予告演出判定手段と、
を具備し、大当たり状態が発生すると遊技者にとって有利な特別状態とされるパチンコ遊技機において、
前記予告演出判定手段が予告演出を行うと判定したとき、前記大当たり図柄判定手段にて判定された図柄を示唆する予告演出を行うことを特徴とするパチンコ遊技機。
【請求項２】
前記大当たり図柄判定手段にて判定された図柄を示唆する予告演出は、表示手段にて表示することを特徴とする請求項１記載のパチンコ遊技機。
【請求項３】
前記表示手段は、始動条件の成立時に複数の図柄を変動表示又は停止表示させ得る図柄表示手段から成るとともに、当該図柄表示手段にて停止表示された図柄が所定のものである場合に大当たり状態とされるものであって、
前記大当たり図柄判定手段にて判定された図柄の示唆する予告演出は、前記図柄表示手段で停止表示される複数の図柄のうち少なくとも１つの図柄で大当たりすることを示唆するものであることを特徴とする請求項２記載のパチンコ遊技機。
【発明の詳細な説明】
【技術分野】
【０００１】
本発明は、大当たり状態を予告する演出が行われ得るパチンコ遊技機に関するものである。
【背景技術】
【０００２】
パチンコ遊技機は、通常、その遊技盤の略中央に配設された液晶画面等から成る図柄表示手段を有しており、かかる図柄表示手段は、遊技球が始動口に入賞して始動条件が成立すると、３つの図柄を変動表示させて所定時間経過した後、順次停止表示させ、それら３つの図柄が同じとなって揃った場合、大入賞口を開成させ、遊技者にとって有利な特別遊技状態、即ち大当たり状態とされる。
【０００３】
ここで、図柄表示手段において図柄が変動表示されている間に更に始動口に遊技球が入賞して始動条件が成立すると、その始動条件の成立を保留球として変動記憶手段にて記憶するとともに、その記憶された保留球数に応じた数のランプ（通常は４つ並列に並べられたランプ）を点灯させ、図柄が停止表示された後にその保留分の変動表示が開始されるようになっている。また、遊技球が入賞口に入賞したときには、乱数を取得し、その分の図柄の変動表示開始時に取得した乱数が大当たりであるか、或いははずれであるかの判定が行われていた。
【０００４】
ところで、従来、保留球の中に大当たりがあると判定した場合、その保留球が消化（当該保留球分の変動表示）されるまで連続して大当たりの予告を行い得るパチンコ遊技機が提案されている（例えば、特許文献１参照）。即ち、大当たりが発生する可能性が高いことを予告する演出を図柄表示手段などにおいて行わせ、遊技者に対して大当たりが発生するであろうという期待感を持たせ遊技性を向上させているのである。
【特許文献１】特開２００２−８５７３１号公報
【発明の開示】
【発明が解決しようとする課題】
【０００５】
しかしながら、上記従来のパチンコ遊技機においては、大当たりが発生するであろうという期待感を遊技者に持たせることができるものの、いずれの図柄で大当たりするのかを予告するものでないため、例えば、次の変動表示乃至停止表示にて再び高確率で大当たりが発生し得る確率変動図柄なのか、或いは通常の確率で大当たりが発生し得る非確率変動図柄なのかを示唆するものではなく、更なる興趣を付与することができない。
【０００６】
本発明は、このような事情に鑑みてなされたもので、いずれの図柄で大当たりが発生するのかを予告することにより更なる興趣を付与することができるパチンコ遊技機を提供することにある。
【課題を解決するための手段】
【０００７】
請求項１記載の発明は、所定条件の成立により抽選が行われ、その抽選の結果が大当たりか否かを判定する大当たり判定手段と、該大当たり判定手段にて大当たりであると判定された際に表示される図柄を判定する大当たり図柄判定手段と、大当たり状態が発生することを予告する演出を行うか否かを判定する予告演出判定手段とを具備し、大当たり状態が発生すると遊技者にとって有利な特別状態とされるパチンコ遊技機において、前記予告演出判定手段が予告演出を行うと判定したとき、前記大当たり図柄判定手段にて判定された図柄を示唆する予告演出を行うことを特徴とする。
【０００８】
請求項２記載の発明は、請求項１記載のパチンコ遊技機において、前記大当たり図柄判定手段にて判定された図柄を示唆する予告演出は、表示手段にて表示することを特徴とする。
【０００９】
請求項３記載の発明は、請求項２記載のパチンコ遊技機において、前記表示手段は、始動条件の成立時に複数の図柄を変動表示又は停止表示させ得る図柄表示手段から成るとともに、当該図柄表示手段にて停止表示された図柄が所定のものである場合に大当たり状態とされるものであって、前記大当たり図柄判定手段にて判定された図柄の示唆する予告演出は、前記図柄表示手段で停止表示される複数の図柄のうち少なくとも１つの図柄で大当たりすることを示唆するものであることを特徴とする。
【発明の効果】
【００１０】
請求項１〜請求項３の発明によれば、大当たり状態が発生するか否かの予告演出に加え、いずれの図柄で大当たりが発生するのかを予告することが可能であるので、遊技者に対して大当たりに対する期待感を与えることができるとともに、更なる興趣を付与することができる。
【発明を実施するための最良の形態】
【００１１】
以下、本発明の実施形態について図面を参照しながら具体的に説明する。
本実施形態に係るパチンコ遊技機は、３列の図柄を変動表示又は停止表示させる図柄表示手段を具備し、始動条件の成立により当該図柄が変動表示されるとともに、所定時間経過後に停止表示され、その停止表示された図柄が同一で揃った場合、大当たり状態として遊技者にとって有利な特別遊技状態が発生するものである。具体的には、図１に示すように、本パチンコ遊技機１は、ガラス板２が取り付けられた前面枠３を有しており、該ガラス板２から遊技者が遊技盤４を目視し得るよう構成されている。
【００１２】
かかる遊技盤４の遊技領域には、風車や複数の釘（不図示）が配設されるとともに、図柄表示手段５、始動口６及び大入賞口７が配設されている。このうち図柄表示手段５は、液晶表示画面から成るものであり、その画面に図柄や背景、及び演出のための各種キャラクタを表示し得るものである。例えば、図３に示すように、左図柄Ａ、中図柄Ｂ及び右図柄Ｃを横に３列に設定し、これら図柄Ａ〜Ｃがそれぞれ変動表示した後、左図柄Ａ、中図柄Ｂ及び右図柄Ｃの順で停止表示するようになっている。然るに、始動口６に遊技球が入賞して始動条件が成立すると、３つの図柄を所定時間変動表示させ、これら図柄が３つ同じとなって揃った状態にて停止表示されれば「大当たり」状態を発生させ得るよう構成されている。
【００１３】
大入賞口７は、通常の遊技状態においては閉成しており、遊技球が通過し得ない状態とされるとともに、上記の如く大当たり状態が発生した際に開成状態となって、遊技球を通過させ入賞し得るよう構成されている。かかる大入賞口７への入賞により遊技者が多数の遊技球（賞球）を獲得できるといった遊技者にとって有利な特別遊技状態が発生する。尚、大当たり状態を発生させる図柄には、次の変動表示乃至停止表示にて再び「大当たり」状態が発生し易い確率変動とすべき図柄と、通常の確率で再び「大当たり」となる通常変動すべき図柄とがある。また、「大当たり」中においては、前面枠３や遊技盤４等に取り付けられた各種ランプやフラッシュ等が点滅或いは点灯するとともに、図柄表示手段５の画面上においてキャラクタ等による所定の演出が行われるようになっている。
【００１４】
更に、遊技盤４や前面枠３の所定位置（本実施形態においては遊技盤４における図柄表示手段５より上部の位置）には、４つのランプから成る保留球数表示手段１１が配設されており、残りの保留球数を遊技者に認識させ得るようになっている。かかる保留球数は、図柄表示手段５で図柄を変動表示中に更に始動口６に遊技球が入賞した際の保留球の数を示すものであり、保留球数に対応した数分だけ左から順にランプが点灯するよう構成されている。更に、パチンコ遊技機１の下部右隅にはハンドル８が配設されており、該ハンドル８の回動操作により上皿９内の遊技球を遊技盤４の遊技領域に連続的に打ち出し得るよう構成されている。尚、同図における符号１０は、下皿を示しており、該下皿１０の近傍にはスピーカ１２が配設されて、演出のための効果音などが発せられるようになっている。
【００１５】
パチンコ遊技機１の内部には、図２に示すように、メイン基板１３と、図柄制御基板１４と、ランプ制御基板１５と、音声制御基板１６とが主に配設されており、これらが互いに電気的に接続されているとともに、メイン基板１３には例えば始動口６が電気的に接続されている。このうちメイン基板１３は、パチンコ遊技機１全般に亘る遊技内容を制御するためのものであり、大当たり判定手段１７と、大当たり図柄判定手段１８と、はずれ図柄判定手段１９と、予告演出判定手段２０と、変動パターン選択手段２１と、図柄変更手段２２と、変動記憶手段２３とが形成されている。
【００１６】
尚、図柄制御基板１４は変動パターンデータ及び図柄パターンデータを有するとともに、図柄表示手段５と接続されて当該図柄表示手段５で表示される図柄等を制御するためのもの、ランプ制御基板１５は遊技盤４や前面枠３に配設されたランプ等の点灯又は点滅を制御するためのもの、及び音声制御基板１６はスピーカ１２と接続されて効果音等を制御するためのものである。上記各基板は、それぞれＣＰＵやＲＯＭ及びＲＡＭ等を具備しつつ透明樹脂から成るケース（不図示）内に収容されているとともに、パチンコ遊技機１内部の所定位置に固定されている。
【００１７】
大当たり判定手段１７は、始動口６に遊技球が入賞（所定条件の成立）した際に乱数を取得し、その乱数値が予め定められた大当たり状態を発生させる値であるか否かを判別して当該大当たりの抽選を行うものである。大当たり図柄判定手段１８は、大当たり判定手段１７にて大当たりであると判定された際に表示される図柄を判定するものである一方、はずれ図柄判定手段１９は、大当たり判定手段１７にてはずれであると判定された際に表示される図柄を判定するものである。更に、予告演出判定手段２０は、大当たり状態が発生することを予告する演出を行うか否かを判定するものである。
【００１８】
上記大当たり判定手段１７、大当たり図柄判定手段１８、はずれ図柄判定手段１９及び予告演出判定手段２０は、それぞれカウンタ（遊技球が始動口６を通過したときに乱数値が取得される大当たり決定用の乱数カウンタ、何れの図柄で大当たりを発生させるかを決定する乱数が取得される大当たり図柄用の乱数カウンタ、何れの図柄ではずれとするかを決定する乱数が取得されるはずれ図柄用の乱数カウンタ、及び予告演出を行うか否かを決定する乱数が取得される予告演出判定用の乱数カウンタ）を有しており、それぞれのカウンタにて乱数値が取得され、各判定が行われ得るようになっている。尚、変動パターン選択手段２１は、例えばリーチの際の図柄の動作形態を選択するもので、これも専用の乱数カウンタから乱数値を取得し決定されるよう構成されている。
【００１９】
また、図柄変更手段２２は、予告演出判定手段２０が予告演出を行うと判定したとき、大当たり図柄判定手段１８にて判定された図柄を示唆する予告演出を行うためのもので、本実施形態においては、図柄表示手段５で表示される複数（本パチンコ遊技機１においては３つ）の図柄Ａ〜Ｃのうち一番最初に停止表示される図柄Ａで大当たりすることを示唆するよう構成されている。即ち、はずれ図柄判定手段１９にて判定された図柄のうち、左図柄Ａのみを大当たり図柄判定手段１８にて判定された図柄に強制的に変更することにより、かかる停止図柄（左図柄Ａ）にて大当たりが発生する可能性があることを遊技者に認識させ得るものである。
【００２０】
変動記憶手段２３は、図柄表示手段５で図柄を変動表示中に更に始動口６に遊技球が入賞して始動条件が成立したとき、その始動条件の成立に基づく図柄の変動表示がなされるまで保留球として記憶するためのものであり、当該保留球数に基づき既述の保留球数表示手段１１にて表示し得るよう構成されている。そして、最古の保留球分の図柄変動表示が図柄表示手段５にて行われると、その保留球の記憶情報を消去するとともに、保留球数を１個分減算して保留球数表示手段１１にて表示するようになっている。
【００２１】
次に、上記構成のパチンコ遊技機１における図柄表示手段５による変動表示開始時の制御について説明する。
まず、図４のフローチャートに示すように、大当たり判定手段１７にて大当たりと判定されると（Ｓ１）、大当たり図柄判定手段１８にて判定された当たり図柄が指定され（Ｓ２）、Ｓ３で変動パターン選択手段２１にて選択されたパターンを経た後、指定された図柄が図柄表示手段５において停止表示される。一方、Ｓ１で「はずれ」と判定されると、はずれ図柄判定手段１９にて判定されたはずれ図柄が指定され（Ｓ４）、予告カウンタが「０」であるか否かが判定される（Ｓ５）。かかる予告カウンタは、初期値が「０」に設定された別途のカウンタである。
【００２２】
予告カウンタが「０」であると判断されると、予告演出判定手段２０にて大当たり状態が発生することを予告する演出を行うか否かが判定される（Ｓ６）。即ち、既述の予告演出判定用の乱数カウンタにより乱数が取得され、かかる乱数値が所定の値であれば予告演出の抽選に当選したとし、それ以外であれば当該抽選にはずれたとする。この予告演出の抽選にはずれた場合、Ｓ３へ進み、既述と同様の変動パターンの選択が行われる一方、抽選に当選した場合、Ｓ７へ進み、変動記憶手段２３に記憶された保留球の中に大当たりとなるべきものがあるか否かが判定される。
【００２３】
保留球の中に大当たりとなるべきものがあると判断されると、図柄変更手段２２にて左図柄Ａを当たる予定の図柄に強制的に変更する（Ｓ８）とともに、当該保留球の中に大当たりとなるべきものがないと判断されると、Ｓ１２へ進み、左図柄Ａを大当たりとは無関係（がせ）の図柄に変更する。即ち、Ｓ６による予告演出の抽選に当選すれば、保留球において当たりとなるべきものの有無に関わらず、図柄変更手段２２による左図柄Ａの強制的な変更が行われるのである。従って、予告演出が行われれば必ず大当たりするとは限らないので、遊技性を更に向上させることができる。
【００２４】
そして、Ｓ８又はＳ１２による左図柄Ａの変更が行われた後、変動記憶手段２３によって記憶されている保留球数から１減算した値を予告カウンタにセットし、既述した如きＳ３による変動パターンの選択が行われる。このように、Ｓ９にてセットされた予告カウンタ値は、次回以降の変動開始時まで持ち越されるので、当該次回のＳ５における予告カウンタが「０」か否かの判断において、「０」でないと判断されることがあり、その場合にはＳ１０へ進むこととなる。
【００２５】
かかるＳ１０においては、予告演出をするか否かの抽選を経ずに、図柄変更手段２２によって、左図柄Ａを大当たりとは無関係の図柄若しくは当たる予定の図柄に変更することが行われ、その後、Ｓ１１へ進んで予告カウンタの値を１減算した値とし、既述の変動パターンの選択（Ｓ３）が行われる。即ち、予告カウンタが「０」でない場合（初期値でない場合）は、Ｓ１０にて左図柄Ａの強制的な変更（無関係な図柄であるか当たりとなるべき図柄であるかは問わない）が行われることとなる。以上で、図柄表示手段５による一連の変動開始時の制御が終了し、判定された変動パターンにて図柄を変動させるとともに、指定された図柄にて停止表示させる。
【００２６】
上記の如き制御により、予告演出判定手段２０が予告演出を行うと判定したとき、大当たり図柄判定手段１７にて判定された図柄を左図柄Ａに停止表示させることにより、当該左図柄Ａで大当たりすることが示唆されるので、大当たり状態が発生するか否かの予告演出に加え、いずれの図柄で大当たりが発生するのかを予告することが可能であるので、遊技者に対して大当たりに対する期待感を与えることができるとともに、更なる興趣を付与することができる。
【００２７】
以上、本実施形態について説明したが、本発明はこれに限定されるものではなく、例えば図柄表示手段５の他の停止図柄（中図柄Ｂ又は右図柄Ｃ）にて大当たり図柄を示唆するようにしてもよく、更には図柄表示手段５とは別途の表示手段により、大当たり図柄を示唆するようにしてもよい。また更に、図柄表示手段５で変動表示又は停止表示される図柄は、３つに限らず、他の複数の図柄（例えば４つ以上の図柄）であってもよい。尚、大当たりを示唆する演出は、当該大当たり図柄の表示に限らず、例えばスピーカ１２にて大当たり図柄を音声にて発するもの、或いはフラッシュ等を大当たり図柄を示唆する回数だけ点滅させるようにしてもよい。
【産業上の利用可能性】
【００２８】
本発明に係るパチンコ遊技機は、大当たり図柄を示唆する演出を行うものであれば、他の形態のもの（外観形状等が異なるもの）にも適用することができる。
【図面の簡単な説明】
【００２９】
【図１】本発明の第１の実施形態に係るパチンコ遊技機を示す外観図
【図２】同パチンコ遊技機の内部構成を示すブロック図
【図３】同パチンコ遊技機における図柄表示手段を示す模式図
【図４】同パチンコ遊技機における図柄表示手段による図柄の変動表示開始時における制御を示すフローチャート
【符号の説明】
【００３０】
１    パチンコ遊技機
２    ガラス板
３    前面枠
４    遊技盤
５    図柄表示手段
６    始動口
７    大入賞口
８    ハンドル
９    上皿
１０  下皿
１１  保留球数表示手段
１２  スピーカ
１３  メイン基板
１４  図柄制御基板
１５  ランプ制御基板
１６  音声制御基板
１７  大当たり判定手段
１８  大当たり図柄判定手段
１９  はずれ図柄判定手段
２０  予告演出判定手段
２１  変動パターン選択手段
２２  図柄変更手段
２３  変動記憶手段
Ａ    左図柄
Ｂ    中図柄
Ｃ    右図柄
【図１】
2005087517.tif 000003
【図２】
2005087517.tif 000004
【図３】
2005087517.tif 000005
【図４】
2005087517.tif 000006